(57)【特許請求の範囲】
【請求項１】
被施錠物を施錠する位置と解錠する位置とに変位可能な施錠手段と、前記被施錠物を施錠する位置にて前記施錠手段を係止する位置に変位可能な施錠規制手段と、前記被施錠物を施錠する位置にて前記施錠手段を係止する位置と該係止を解除する位置とに前記施錠規制手段を変位させる駆動手段と、前記駆動手段を駆動させるための符号情報を入力する符号情報入力手段とを備えた電子施錠装置において、
前記駆動手段に電源を供給する電池を装置内部へ収納する位置と取り出し位置とに変位可能に設けられた電池着脱手段と、
前記施錠手段の変位操作、並びに、前記電池着脱手段の係止及び係止解除の操作が可能であって、前記施錠手段を施錠位置に変位させた状態位置にて前記電池着脱手段を装置内部に収納した状態で係止する一方、前記施錠手段を解錠させる位置に変位させた状態位置にて前記電池着脱手段の係止を解除させる変位操作手段と、
を備えたことを特徴とする電子施錠装置。
【請求項２】
前記変位操作手段が前記電池着脱手段を装置内部に収納した状態で係止する位置に変位した状態において、前記変位操作手段が前記装置本体内に納まることを特徴とする請求項１記載の電子施錠装置。
【発明の詳細な説明】
【０００１】
【発明の属する技術分野】
本発明は、鞄、手下げ金庫、システム手帳等の小型収納品に用いる小型の電子施錠装置に係わり、特に、符号情報入力により施錠、解錠され、さらに、小型電源が内蔵されたタイプの電子施錠装置の改良に関する。
【０００２】
【従来の技術】
従来、鞄、小型金庫、若しくは、重要書類・ファイル等の気密性が重要視されるような携帯品には、安全防犯のために施錠装置が必要となるが、鍵の紛失等による不便さを解消するために、暗証番号等を電子的に入力して施錠、解錠が可能となる電子施錠装置が用いられている。
【０００３】
電子施錠装置の一例としては、図７にしめすように、数字等をテンキー化したテンキー部１２０１と、テンキー部１２０１から入力された暗証番号を解読する制御部１２０２と、被施錠物を施錠解錠する錠部本体１２０４と、制御部１２０２と錠部本体１２０４の信号の受け渡しをするケーブル１２０３と、鍵部本体１２０４と、挿入・離脱するラッチ部１２０５とから構成されている。
【０００４】
さらに、鍵部本体１２０４は、詳細には、図８に示すように、ラッチ部１２０５に駆動力を付与する円筒型モーター１３０１と、モータ軸に取付けられたウォームギア１３０２と、ウォームギア１３０２に噛み合わされた歯車列１３０３、１３０４と、歯車１３０５のピニオン部１３０６と噛み合わされ、ラッチ部１２０５下部に設けられたラック部１３０５から構成されている（例えば、実開昭５６−３４９５６）。また、電子施錠装置の電源（図示外）は、施錠本体１２０４外部に独立して設けられる。
【０００５】
この電子施錠装置は、テンキー部１２０１から入力された暗証番号を制御部１２０２で解読し、予め登録された登録番号と一致したとき、制御部１２０２はケーブルを介して鍵部本体１２０４に信号を送信し、円筒型モーター１３０１を駆動させ、ラッチ部１２０５を解錠する。
一方、このような電子施錠装置は、テンキー部１２０１、鍵部本体１２０４、電源が独立に構成され、全体の体積としては大きくなってしまい、小型の携帯品等への適用に適さないことから、テンキー部１２０１、鍵部本体１２０４、及び、電源を一体とした小型化、薄型化した電子施錠装置が提案されている。
【０００６】
【発明が解決しようとする課題】
しかしながら、上記小型化、薄型化した電子施錠装置であっても、施錠状態に内蔵された電池が着脱自在であると、電池が離脱された場合、制御回路に設けられた揮発メモリに記憶された登録番号が失われ、また、このような状況は安全面においても好ましくないという技術的課題が存在する。
【０００７】
本発明は、以上の技術的課題を解決するためなされたものであって、施錠状態で内蔵電池の離脱を防止する電子施錠装置の提供を目的とする。
【０００８】
【課題を解決するための手段】
この発明に係る電子施錠装置は、上記課題を解決するため、被施錠物を施錠する位置と解錠する位置とに変位可能な施錠手段と、前記被施錠物を施錠する位置にて前記施錠手段を係止する位置に変位可能な施錠規制手段と、前記被施錠物を施錠する位置にて前記施錠手段を係止する位置と該係止を解除する位置とに前記施錠規制手段を変位させる駆動手段と、前記駆動手段を駆動させるための符号情報を入力する符号情報入力手段とを備えた電子施錠装置において、前記駆動手段に電源を供給する電池を装置内部へ収納する位置と取り出し位置とに変位可能に設けられた電池着脱手段と、前記施錠手段の変位操作、並びに、前記電池着脱手段の係止及び係止解除の操作が可能であって、前記施錠手段を施錠位置に変位させた状態位置にて前記電池着脱手段を装置内部に収納した状態で係止する一方、前記施錠手段を解錠させる位置に変位させた状態位置にて前記電池着脱手段の係止を解除させる変位操作手段と、を備えた構成とした。
【０００９】
さらに、前記変位操作手段が前記電池着脱手段を装置内部に収納した状態で係止する位置に変位した状態において、前記変位操作手段が前記装置本体内に納まるようにすることもできる。
以下、本発明の作用について説明する。
電池着脱手段を装置内部に収納した状態で、変位操作手段を、施錠手段が被施錠物を施錠する位置へ変位させると、該変位操作手段によって、電池着脱手段が係止される。
【００１０】
次に、変位操作手段を、施錠手段が被施錠物を解錠する位置へ変位させると、該変位手段による電池着脱手段の係止が解除されて電池を取り出しうる状態となる。
【００１１】
【発明の実施の形態】
以下、図１〜図６を参照して本発明に係るところの実施の形態を詳細に説明する。
図１は、本発明を電子施錠装置に適用した実施の形態の概念図を示すものである。
【００１２】
本実施の形態は、被施錠物を施錠する施錠手段１と、施錠手段１をロック及びロック解除するロック手段２と、ロック手段２の動作を制御する電子回路３と、電子回路３に符号情報を入力する符号情報入力手段４と、ロック手段２及び電子回路３に電力を供給する電源５とから構成されている。
ロック手段２は、施錠手段１の動作を規制する施錠規制手段２０２と、施錠規制手段２０２を動作させる駆動手段２０１とから構成されている。
【００１３】
電子回路３は、駆動手段２０１に駆動信号を発信する駆動信号発生回路３０１と、駆動信号発生回路３０１の駆動信号の発信を判断する駆動信号制御回路３０２と、駆動信号を発信するときの符号情報を予め記録する符号情報記憶回路３０３とから構成されている。
電源５は、駆動回路２０１、駆動信号発生回路３０１、駆動信号制御回路３０２、及び、符号情報記憶回路３０３に電気を供給する電池５０１と、電池５０１を保持し、装置に収納、取り出しする電池着脱手段５０２とから構成されている。
【００１４】
また、電池着脱手段５０２は、施錠手段１と係合される構成となっている。
なお、本発明にいう施錠手段及び変位操作手段は施錠手段１に該当し、施錠規制手段は、施錠規制手段２０２に該当し、駆動手段は、駆動手段２０１に該当し、符号情報入力手段は、符号情報入力手段４に該当し、電池着脱手段は、電池着脱手段５０２に該当する。
【００１５】
次に、かかる本実施の形態に係わる電子施錠装置の具体的な構成を図２、３に基づいて説明する。
図２は、本実施の形態に係わる電子施錠装置の正面外観を示したものである。
本装置の上カバー６０１は、長方形の外形を有し、上カバー６０１の正面右寄りには、符号情報を入力する本発明の符号情報入力手段としてのスイッチ４０１を配置するほぼ正方形の上カバースイッチ窓６０１２を設け、また、上カバー６０１の正面左寄りには、さがり（被施錠物）７を挿入させ、さがり係合部７０１を施錠手段としてのストッパー１０１のストッパー係合部１０１１に係合させる縦長の上カバー窓６０１１を設け、さらに、上カバー６０１の正面左下の縁部には、電池ホルダー係合部５０２１と係合する下カバー係合部６０２１を設ける。
【００１６】
図３は、本実施の形態に係わる電子施錠装置の内部構造を示したものである。
即ち、本装置の内部構造は、例えば、長方形状であり、中央部左寄り縦長の窓部を設けた下カバー６０２と、下カバー６０２の窓部６０２５に突出し、中心部に向かって横方向に伸びる本発明施錠手段としてのストッパー１０１と、ストッパー１０１と同一線状に配設される本発明施錠規制手段としてのロックカム２０２と、ロックカム２０２に設けた異形穴２０２１にかん合されるロック車異形芯２０１１と、下カバー６０２の下部に揺動変位自在に配設された本発明の電池着脱手段としての電池ホルダー５０２と、電池ホルダー５０２のほぼ中央部に収容される電池５０１と、電池５０１の裏側で電池ホルダー５０２と先端部で係合され、前記先端から上方に向かう途中、ストッパー１０１とも連結される本発明の変位操作手段としてのロックレバー１０２と、ロックレバーの上縁部に配設したロックレバー戻しばね１０３から構成されている。
【００１７】
さらに、下カバー６０２は、電池ホルダー５０２を揺動自在に案内する下カバー電池ホルダー案内部６０２２と、ロックレバー１０２を揺動自在に案内する下カバーロックレバー案内部６０２３と、電池ホルダー５０２の裏側から表側に向けて突出し、電池ホルダーの開閉を規制する下カバー電池ホルダー開閉規制部６０２４と、下カバー６０２下方左縁部に下カバー係合部６０２１を設ける。
【００１８】
ストッパー１０１は、ほぼ長方形状であり、窓部に突出するストッパー係合部１０１１と、ロックカム２０２に対向するストッパー規制部１０１３と、ほぼ中央部でロックレバー１０２に向かって突出するストッパー案内部１０１２を有する。
ロックカム２０２は、ロック車異形芯２０１１と係合されるロックカム異形穴２０２１と、ストッパー規制部１０１３と係合してストッパー１０１の動作を規制するロックカム規制部２０２２を有する。
【００１９】
電池ホルダー５０２は、下カバー係合部６０２１と係合する電池ホルダー係合部５０２１と、ロックレバー１０２と係止されるほぼ平面Ｌ字状の電池ホルダー係止部５０２２と、電池を収納するほぼ円形の電池ホルダー電池収納部５０２３と、電池ホルダー５０２が揺動自在に支持される電池ホルダー案内部５０２４と、電池ホルダー５０２の揺動運動を規制する電池ホルダー開閉規制部５０２５とを有する。
【００２０】
ロックレバー１０２は、ほぼＴ字形状であり、二股部の左側上縁部にはロックレバー１０２を装置内部に押込むロックレバー押し部１０２１と、二股部の右側末端には下カバーロックレバー案内部６０２３がかん合される円形のロックレバー作動穴１０２４と、ロックレバー１０２の下方先端には電池ホルダー係止部５０２２に向かって突出する円形のロックレバー係合部１０２２と、ロックレバー１０２下方中央附近にはストッパー案内部１０１２と連結される縦長穴のロックレバー案内窓１０２３を有する。
【００２１】
また、図５は、図３のＡ方向の断面図を示すものである。これによれば、上から上カバー６０１、符号情報入力手段４、電子回路３の順で配置され、さらに、電子回路３の下方に電池ホルダー５０２、下カバー６０２を配する。
電池５０１は、断面凹形の電池ホルダー収納部５０２３に収納され、断面凸形のロックレバー係合部１０２２は、電池ホルダー電池収納部５０２３の下方から断面凹形の電池ホルダー係止部５０２２と係止され、また、下カバー電池ホルダー案内部６０２２、下カバー電池ホルダー開閉規制部６０２４は、断面凸形であり、下方から、それぞれ、貫通穴からなる電池ホルダー案内部５０２４と断面凹形の電池ホルダー案内部５０２５にかん合されている。
【００２２】
また、図６は、図のＢ方向の断面図を示すものである。これによれば、ストッパー案内部１０１２は、下方に向けて突出し、ロックレバー案内窓１０２３の穴部を貫通する。また、施錠規制手段２０２を支持するロック車異形芯２０１１は下方に向かって伸び、駆動手段２０１に固定されている。
以下、図１、３〜６に基づいて本電子施錠装置の動作について説明する。
【００２３】
先ず、図４に示すように、電池ホルダー５０２を下カバー電池ホルダー案内部６０２２を中心に回転させ、装置内部方向に収納する。
このとき、ロックレバー係合部１０２２は、電池ホルダー係止部５０２２の入口から平面Ｌ状のコーナー部に案内され、さらに、ロックレバー戻しばね１０３の自然復帰力により平面Ｌ状の行き止まり部に達する。
【００２４】
さらに、下カバー係合部６０２１と電池ホルダー係合部５０２１とを係合させると、電池ホルダー５０２は、下カバー６０２に保持される。
次に、ロックレバー押し部１０２１を装置内部に押込んだ状態で、さがり（被施錠物）を下カバー６０２の窓部に挿入し、ロックレバー１０２をロックレバー戻しバネ１０３の復帰力で元の位置に戻させる。
【００２５】
このとき、図６の一点鎖線に示すように、ロックレバー案内窓１０２３は、ストッパー１０１を下カバー６０２の窓部方向に移動させ、これにより、ストッパー係合部１０１１は窓部に突出し、さがり（被対象物）係合部と係合される。
この状態で、ロックレバー係合部１０２２と係止される電池ホルダー５０２は、電池ホルダー係合部５０２１を押込まれると共に、本装置から離反する方向に力を加えられても、ロックレバー係合部１０２２により揺動動作を規制されているので、電池５０１は装置外部に取り出すことができない。
【００２６】
次に、この状態で、符号情報入力手段４０１によって、所定の番号を入力する
。
このとき、図１に示すように、駆動信号制御回路３０２は、符号情報記憶回路３０３に記憶された登録番号を呼出し、入力番号と比較する。入力番号と登録番号が一致すれば、駆動信号発生回路３０１は、駆動信号を駆動手段２０１に発信する。
【００２７】
すると、図６に示すように、駆動信号を受けたロック車２０１は、可動開始し、ロックカム２０２をストッパー１０１と対向する位置まで回動させる。
この状態において、さがり（被施錠物）は、施錠状態となり、ロックレバー１０２を装置内部に押込もうとしても、図３に示すように、ストッパー規制部１０１３とロックカム規制部２０２２が係止されているため、ストッパー１０２の施錠解除方向への動作は規制される。即ち、ストッパー案内部１０１２とロックレバー案内窓１０２３で連結されるロックレバー１０２も動作を規制され、よって、ロックレバー係合部１０２２と係止される電池ホルダー５０２は、係止解除できず、電池５０１を取り出し得る状態とならない。
【００２８】
他方、解錠動作は、所定の暗証番号をスイッチ４０１に入力すればよい。
このとき、ロック車２０１は、ロックカム２０２をストッパー１０１と離反する位置に回動させる。そして、ロックレバー１０２を装置内部に押込みつつ、さがり（被施錠物）を離脱させる。
本実施の形態によれば、上記のようにして、施錠状態で内蔵電池５０１が離脱されないようにしたので、制御回路のメモリに高価な不揮発性メモリを使用する必要もなく、施錠状態で内蔵電池を取り外されることもないことから、安全面においても好ましい。また、ロックレバー１０２を装置本体内に納め、装置内の空間を有効利用するようにしたので、装置本体のさらなる小型化が図られる。
【００２９】
本実施の形態は、長方形状で説明したが、正方形状、円形状などでも採用でき、形状を特に限定することなく、本実施の形態のごとく作動可能である。
【００３０】
【発明の効果】
本発明によれば、変位操作手段により、施錠手段を施錠位置に変位すると同時に、電池着脱手段を係止するようにしたので、施錠状態での内蔵電池の離脱が防止され、さらに、制御回路のメモリに高価な不揮発性メモリを使用する必要もなく、施錠状態で内蔵電池を取り外されることもないことから、安全面においても好ましい。
【００３１】
また、請求項２記載の発明によれば、変位操作手段を装置内に納め、装置内の空間を有効利用するようにしたので、装置本体のさらなる小型化が図られる。
【図面の簡単な説明】
【図１】本発明を電子施錠装置に適用した実施の形態の概念を示す説明図である。
【図２】図１に係わる電子施錠装置の外観を示す説明図である。
【図３】図１に係わる電子施錠装置の内部構造を示す説明図である。
【図４】図１に係わる電子施錠装置の解錠状態を示す説明図である。
【図５】図２に係わるＡ断面を示す説明図である。
【図６】図２に係わるＢ断面を示す説明図である。
【図７】従来技術に係わる電子施錠装置を示す説明図である。
【図８】図７に係わる鍵部本体を示す説明図である。
【符号の説明】
１  施錠手段
１０１  ストッパー（施錠手段）
１０１１  ストッパー係合部
１０１２  ストッパー案内部
１０１３  ストッパー規制部
１０２  ロックレバー（変位操作手段）
１０２１  ロックレバー押し部
１０２２  ロックレバー係合部
１０２３  ロックレバー案内窓
１０２４  ロックレバー作動穴
１０３  ロックレバー戻しバネ
２  ロック手段
２０１  ロック車（駆動手段）
２０１１  ロック車異形芯
２０２  ロックカム（施錠規制手段）
２０２１  ロックカム異形穴
２０２２  ロックカム規制部
２０２３  ロックカム外周
３  電子回路
３０１  駆動信号発生回路
３０２  駆動信号制御回路
３０３  符号情報記憶回路
４  符号情報入力手段
４０１  スイッチ（符号情報入力手段）
５  電源
５０１  電池
５０２  電池ホルダー（電池着脱手段）
５０２１  電池ホルダー係合部
５０２２  電池ホルダー係止部
５０２３  電池ホルダー電池収納部
５０２４  電池ホルダー案内部
５０２５  電池ホルダー開閉規制部
６  保持手段
６０１  上カバー
６０１１  上カバー窓
６０１２    上カバースイッチ窓
６０２  下カバー
６０２１  下カバー係合部
６０２２  下カバー電池ホルダー案内部
６０２３  下カバーロックレバー案内部
６０２４  下カバー電池ホルダー開閉規制部
６０３  駆動部上カバー
６０４  駆動部下カバー
７  さがり（被施錠物）
７０１  さがり係合部
【図１】
0003650247.tif 000002
【図２】
0003650247.tif 000003
【図３】
0003650247.tif 000004
【図４】
0003650247.tif 000005
【図５】
0003650247.tif 000006
【図６】
0003650247.tif 000007
【図７】
0003650247.tif 000008
【図８】
0003650247.tif 000009